(57)【要約】【課題】人工歯１と義歯床２の境界にできる境界凹部３に汚れが溜まるのを有効に防止して、この部分の清掃を容易にする。外観上を天然歯肉と天然歯と同じ形状として違和感のない有床義歯とする。【解決手段】有床義歯は、複数の人工歯１を義歯床２に固定してなる有床義歯であって、隣接する人工歯１と義歯床２の境界部分にできる境界凹部３を透明被膜４で被覆している。有床義歯は、この透明被膜４でもって、境界凹部３を、凹部３のないあるいは浅い凹部３の平滑面にしている。【選択図】　図１
2004016417.tif 000002
【特許請求の範囲】
【請求項１】
複数の人工歯（１）を義歯床（２）に固定してなる有床義歯であって、隣接する人工歯（１）と義歯床（２）の境界部分にできる境界凹部（３）を透明被膜（４）で被覆しており、この透明被膜（４）でもって、境界凹部（３）を、凹部のないあるいは浅い凹部の平滑面にしてなることを特徴とする有床義歯。
【請求項２】
人工歯（１）と義歯床（２）との外側の境界凹部（３）に透明被膜（４）を被覆している請求項１に記載される有床義歯。
【請求項３】
人工歯（１）と義歯床（２）との外側と内側の境界凹部（３）に透明被膜（４）を被覆している請求項１に記載される有床義歯。
【請求項４】
人工歯（１）と義歯床（２）の境界部分に沿って、境界凹部（３）に透明被膜（４）を設けている請求項１に記載される有床義歯。
【請求項５】
人工歯（１）と義歯床（２）の全面ないしほぼ全面を透明被膜（４）で被覆すると共に、境界凹部（３）に厚く透明被膜（４）を被覆している請求項１に記載される有床義歯。
【請求項６】
透明被膜（４）が、透明の即時重合タイプアクリル樹脂である請求項１に記載される有床義歯。
【請求項７】
透明被膜（４）の表面が硬化状態で研磨されてなる請求項１に記載される有床義歯。
【発明の詳細な説明】
【０００１】
【発明の属する技術分野】
本発明は、義歯床に人工歯を固定している義歯に関する。
【０００２】
【従来の技術】
天然歯の全て、あるいは一部が欠損している患者のために製作される有床義歯は、義歯床と、これに固定している人工歯と呼ばれる部分で構成される。義歯床の部分は、天然のはぐきに相当する部分であって、通常はアクリル樹脂やポリカーボネート等の合成樹脂で製作される。金属床と呼ばれる床の一部を金属プレートとするものも存在するが、人工歯と接する顎堤部分は人工歯を埋没固定する目的もあり合成樹脂が用いられる。義歯床は、失われた歯槽骨、歯肉の回復であり、生理学的、機能的、審美的に形態が決定される。
【０００３】
【発明が解決しようとする課題】
義歯床と人工歯は、その境界部分の形状を、外側と内側において、生理学的、審美的観点より、天然歯肉の形態を模する形状に製作される。ところで、本明細書において義歯床と人工歯の「外側」とは上顎と下顎にあっては唇側または頬側を意味し、「内側」とは上顎にあっては口蓋側を意味し、下顎にあっては舌側を意味するものとする。義歯床と人工歯は、特に、外側においては審美面に留意する必要がある。このために、人工歯と義歯床との境界部には凹部ができ、さらに隣接する人工歯間にも凹部が形成される。外観を天然の歯肉と歯の形状にすることから、この形状は好ましいものである。ただ、義歯を保守する観点からは、人工歯と義歯床の境界にできる境界凹部に食物残渣等が溜まりやすく、清掃にも手間が掛かる欠点がある。歯磨きを慎重にして、境界凹部の残渣を少なくできる。ただ、人工歯の成形に多用されるプラスチックは、天然歯のエナメル質に比較して歯磨きで摩耗しやすいので、歯磨きを慎重に長時間すると摩耗しやすい欠点がある。
【０００４】
また、義歯床に用いる合成樹脂を境界凹部に充填して、凹部ができない形状に義歯床を成形することは可能である。しかしながら、この形状の有床義歯は、天然の歯肉と異なる形状となって外観上の違和感がある。それは、義歯床を成形する合成樹脂が、歯肉色に着色を施しているからである。
【０００５】
本発明は、この欠点を解決することを目的に開発されたものである。本発明の重要な目的は、人工歯と義歯床の境界にできる境界凹部に汚れが溜まるのを有効に防止して、この部分の清掃を容易にすると共に、外観上を天然歯肉と天然歯と同じ形状として違和感もない有床義歯を提供することにある。
【０００６】
【課題を解決するための手段】
本発明の有床義歯は、複数の人工歯１を義歯床２に固定してなる有床義歯であって、隣接する人工歯１と義歯床２の境界部分にできる境界凹部３を透明被膜４で被覆している。有床義歯は、この透明被膜４でもって、境界凹部３を、凹部のないあるいは浅い凹部の平滑面にしている。
【０００７】
本発明の有床義歯は、人工歯１と義歯床２との外側の境界凹部３に、あるいは外側と内側の境界凹部３に透明被膜４を被覆することができる。さらに、本発明の有床義歯は、人工歯１と義歯床２の境界部分に沿って、境界凹部３に透明被膜４を設けることができる。さらにまた、本発明の有床義歯は、人工歯１と義歯床２の全面ないしほぼ全面を透明被膜４で被覆すると共に、境界凹部３に厚く透明被膜４を被覆することができる。
【０００８】
透明被膜４は、透明の即時重合タイプアクリル樹脂とすることができる。透明被膜４の表面は、硬化状態で研磨することができる。
【０００９】
【発明の実施の形態】
以下、本発明の実施例を図面に基づいて説明する。ただし、以下に示す実施例は、本発明の技術思想を具体化するための有床義歯を例示するものであって、本発明は有床義歯を下記のものに特定しない。
【００１０】
さらに、この明細書は、特許請求の範囲を理解し易いように、実施例に示される部材に対応する番号を、「特許請求の範囲の欄」、および「課題を解決するための手段の欄」に示される部材に付記している。ただ、特許請求の範囲に示される部材を、実施例の部材に特定するものでは決してない。
【００１１】
図１ないし図４に示す有床義歯は、複数の人工歯１と、人工歯１を固定している義歯床２からなる。図の有床義歯は、前歯と臼歯の両方からなる全ての人工歯１を義歯床２に固定している。ただし、本発明の有床義歯は、前歯と臼歯からなる全ての歯を義歯床に固定する構造、すなわち無歯顎者のための全部床義歯、いわゆる総義歯には特定しない。有床義歯は、前歯や臼歯の一部の人工歯を義歯床に固定し、あるいは前歯や臼歯のみを義歯床に固定する構造、いいかえると、歯が一部欠損している者に用いられる局部床義歯にも適用することができる。複数の人工歯１は、天然歯と同じように、隣接して配設される人工歯１の境界に凹部ができる状態で義歯床２に固定される。人工歯１は、図２と図３に示すように、その一部を義歯床２に埋設し、残り一部の表面を義歯床２から突出するようにして、しっかりと義歯床２に固定される。
【００１２】
人工歯１は、合成樹脂やセラミック、あるいは金属等を天然歯の形状に成形して製作される。合成樹脂やセラミックで製作される人工歯１は、成形された表面を天然歯の色に着色し、あるいは着色された合成樹脂やセラミックを使用して成形される。人工歯１を成形する合成樹脂には、アクリル樹脂やポリカーボネート等の合成樹脂が使用される。人工歯１は、金属を鋳造して成形することもできる。金属製の人工歯は、たとえば金合金、金銀パラジウム合金等で製作される。
【００１３】
義歯床２は、複数の人工歯１を埋設して固定している。義歯床２は、天然の歯肉と同じ形状に外形を成形している。図の有床義歯は、義歯床２を脱着できるように歯肉に固定するので、内形を歯肉に密着して固定できる形状に成形している。有床義歯は、必ずしも歯肉に装着されるとは限らない。たとえば隣の残存歯に連結固定して装着される有床義歯もあるので、義歯床２は装着される構造に最適な形状に成形される。さらに、義歯床２は、たとえばアクリル樹脂やポリカーボネート等の合成樹脂で成形される。義歯床２を成形する合成樹脂は、歯肉色の着色がされており、赤に着色された繊維を混入させたものもある。この義歯床２は、天然の歯肉に極めて近似する表面模様にできる。それは、赤い繊維が、歯肉の血管と同じように見えるからである。義歯床２は、必ずしも全体を合成樹脂で成形するとは限らない。義歯床２は、金属と合成樹脂とを部分的に混在させる構造として製作することもできる。
【００１４】
人工歯１と義歯床２は、天然の歯と歯肉に近似する形状に成形しているので、人工歯１と義歯床２との境界に、さらに、隣接する人工歯１の境界に境界凹部３ができる。有床義歯は、図に示すように、境界凹部３を透明被膜４で被覆している。ただし、これらの図において、透明被膜４をわかりやすくするために、図１ではハッチングで表示しており、図２〜図４においは黒く塗りつぶして表示している。有床義歯は、未硬化の透明合成樹脂を境界凹部３に充填するように塗布し、透明合成樹脂を硬化させて境界凹部３に充填される。境界凹部３に充填されるようにして塗布される透明合成樹脂は、境界凹部３を凹部のない平滑面とし、あるいは浅い凹部の平滑面に仕上げられる。境界凹部３を凹部のない平滑面とする透明被膜４は、境界凹部３に食物残渣が溜るのを理想的な状態で阻止できる。ただ、境界凹部３を平滑面にはしないが、境界凹部３を浅くするように塗布される透明被膜４も、食物残渣が溜るのを相当に少なくできる。とくに、境界凹部３は鋭角となる隅部に食物残渣が溜りやすいが、透明被膜４はこの隅部に充填されて、食物残渣が溜るのを有効に防止できる。したがって、本発明の有床義歯は、必ずしも境界凹部３を平滑面とする必要はなく、境界凹部３を浅くするように透明被膜４で被覆することもできる。
【００１５】
境界凹部３に食物残渣が溜って目だつのは、有床義歯の外側である。したがって、有床義歯は、外側の境界凹部３にのみ透明被膜４を塗布して、内側の境界凹部３を透明被膜４で被覆しない構造とすることもできる。ただ、外側と内側の両方の境界凹部３を透明被膜４で被覆する有床義歯は、両面に食物残渣が溜るのを有効に防止できる特長がある。さらに、図に示すように、人工歯１と義歯床２との間の全ての境界凹部３を透明被膜４で被覆する有床義歯は、全ての義歯床２に食物残渣が溜るのを有効に防止できる。ただし、内側は、義歯床の形態自体を境界凹部の少ない設計とすることが実際的ではある。また、有床義歯は、食物残渣が溜り易く、逆に外観上目立ちにくいのは臼歯であるから、臼歯の人工歯と義歯床との間にできる境界凹部にのみ透明被膜を設けることもできる。
【００１６】
図１ないし図３に示す有床義歯は、人工歯１と義歯床２の境界部分に沿って、境界凹部３に、所要の幅で透明被膜４を設けている。ただし、有床義歯は、図示しないが、人工歯と義歯床の全面ないしほぼ全面を透明被膜で被覆することもできる。この有床義歯は、境界凹部３に厚く透明被膜４を充填し、その他の部分には薄く透明被膜４を被覆する。
【００１７】
透明被膜４は、透明の即時重合タイプアクリル樹脂が適している。特に、義歯床樹脂がアクリル樹脂の場合、接着性の面から最適である。この合成樹脂は、加圧重合させた後、硬化された表面を研磨して、微細な凹凸のない面に仕上げる。この透明被膜４は、表面を綺麗な平滑面に上げることができるので、表面で光が乱反射されることがなく、優れた透明度として、透明被膜４を目だたないようにできる特長がある。透明被膜４する合成樹脂には、硬化して透明となり、かつ口内にあって人体に害のない全ての合成樹脂を使用できる。
【００１８】
【発明の効果】
本発明の有床義歯は、人工歯と義歯床の境界にできる境界凹部に汚れが溜まるのを有効に防止して、この部分の清掃を容易にできると共に、外観上を天然歯肉と天然歯と同じ形状として違和感のない状態にできる特長がある。それは、本発明の有床義歯が、隣接する人工歯と義歯床の境界部分にできる境界凹部を透明被膜で被覆して、凹部のないあるいは浅い凹部の平滑面にしているからである。この構造の有床義歯は、透明被膜で境界凹部を被覆しているので、境界凹部に食物残渣等が溜るのを理想的な状態で阻止して清掃を容易にできる。このため、清掃に掛かる手間を省略できると共に、長時間の歯磨きに起因する人工歯や義歯床の磨耗も有効に防止できる。しかも、透明被膜で境界凹部を被覆するので、外観上の違和感もない義歯とすることができる。
【図面の簡単な説明】
【図１】本発明の一実施例にかかる有床義歯の側面図
【図２】図１に示す有床義歯の前歯部分を示す断面図
【図３】図１に示す有床義歯の臼歯部分を示す断面図
【図４】図１に示す有床義歯の底面図
【符号の説明】
１…人工歯
２…義歯床
３…境界凹部
４…透明被膜
【図１】
2004016417.tif 000003
【図２】
2004016417.tif 000004
【図３】
2004016417.tif 000005
【図４】
2004016417.tif 000006